【手続補正書】
【提出日】平成17年1月6日(2005.1.6)
【手続補正１】
【補正対象書類名】特許請求の範囲
【補正対象項目名】全文
【補正方法】変更
【補正の内容】
【特許請求の範囲】
【請求項１】
１以上の液体試薬を選択的に反応または検査チャンバに配給する試薬配給システムにおいて、
反応または検査チャンバおよび１以上の液体試薬で予め満たされた１以上の貯蔵チャンバを備えた使い捨てユニットを有し、１以上の貯蔵チャンバは、閉じた底および開けることができ、反応または検査チャンバの上方に配置された口を備えており、
貯蔵チャンバの口からの重力による液体の溢流により、選択された試薬を、貯蔵チャンバから、全体として貯蔵チャンバの下にある反応または検査チャンバ内に押出すべく、選択された貯蔵チャンバの口内に挿入できるように配置されかつ操作可能なプランジャ要素を有することを特徴とするシステム。
【請求項２】
１以上の貯蔵チャンバは、所定量の１以上の液体試薬で予め満たされ、各貯蔵チャンバの口は、それぞれシーリング手段によりシールされていることを特徴とする請求項１記載の反応システム。
【請求項３】
前記各チャンバを閉じるシーリング手段は、プランジャ要素がそれぞれのチャンバの口内に移動するときに、プランジャ要素の先端部により破断または穿孔可能であることを特徴とする請求項２記載の反応システム。
【請求項４】
請求項１〜３の何れか１項記載の試薬配給システムと、プランジャ要素の物理的移動を制御する制御手段とを有することを特徴とする反応、検査または検定装置。
【請求項５】
食品のバクテリア汚染を検出または検定する装置、またはＤＮＡを抽出しかつ精製する装置であることを特徴とする請求項４記載の反応、検査または検定装置。
【請求項６】
前記反応または検査チャンバおよび／または貯蔵チャンバ（単一または複数）の加熱手段を更に有することを特徴とする請求項４または５記載の反応、検査または検定装置。
【請求項７】
前記加熱手段は、制御される電流により加熱できる導電性ポリマーからなることを特徴とする請求項６記載の反応、検査または検定装置。
【請求項８】
前記プランジャ要素は、配給すべき試薬を収容する各貯蔵チャンバ内に挿入されかつ該貯蔵チャンバから抜去できるように配置されかつ制御されることを特徴とする請求項４〜７のいずれか１項記載の装置。
【請求項９】
前記プランジャ要素は中実または中空円筒状のロッドまたは杖の形態をなしており、1以上の試薬貯蔵チャンバは支持された円筒状チューブの形態をなしていることを特徴とする請求項４〜８のいずれか１項記載の装置。
【請求項１０】
前記プランジャ要素は、実質的に垂直な軸線に沿う方向におよび実質的に水平な平面内で移動できることを特徴とする請求項４〜９のいずれか１項記載の装置。
【請求項１１】
前記プランジャ要素は、抜去可能な磁石を収容できる中空ロッドの形態をなしていることを特徴とする請求項４〜１０のいずれか１項記載の装置。
【請求項１２】
前記プランジャ要素は、使用前に配給装置をシールする上方閉じ蓋に取付けられた下方に延びるロッドとして形成され、蓋には、該蓋が装置から取外されたときにプランジャ制御手段が物理的に係合する手段が組込まれていることを特徴とする請求項４〜１１のいずれか１項記載の装置。
【請求項１３】
前記プランジャは蓋の中心から外れた位置で蓋に取付けられ、蓋は、プランジャ制御手段が係合できるカルーセル型要素を形成しており、対称的に配置された試薬チャンバの間でのプランジャの水平移動は蓋の回転により行なわれることを特徴とする請求項１２記載の装置。
【請求項１４】
請求項１記載の反応システムに使用するための使い捨て反応または検査ユニットであって、反応または検査チャンバと、１以上の液体試薬を収容した１以上の貯蔵チャンバを有し、１以上の貯蔵チャンバは、閉じた底、および反応または検査チャンバの上方に配置された開いた口を備えていることを特徴とする使い捨て反応または検査ユニット。
【請求項１５】
前記反応または検査チャンバおよび１以上の貯蔵チャンバは、成形プラスチックハウジング内に収容されていることを特徴とする請求項１４記載の反応または検査ユニット。
【請求項１６】
前記反応または検査チャンバおよび１以上の貯蔵チャンバは成形ポリプロピレンで形成されていることを特徴とする請求項１４または１５記載の反応または検査ユニット。
【請求項１７】
前記ハウジングは上方周壁を有し、該周壁は、貯蔵チャンバ（単一または複数）の口を集合的に包囲しかつ該口を通って上方に延びており、貯蔵チャンバから溢流する液体試薬（単一または複数）を、貯蔵チャンバの下の反応または検査チャンバ内に導くバッフルとして機能することを特徴とする請求項１５記載の反応または検査ユニット。
【請求項１８】
前記反応または検査チャンバの下には、予め分配された量の液体または固体の補助試薬を収容する補助試薬チャンバが更に設けられており、該補助試薬チャンバには、反応または検査手順の所望段階で反応または検査チャンバの内容物が配給され、補助試薬チャンバの口は、使用前に反応または検査チャンバの底を形成する口自体の保護シーリング手段によりシールされることを特徴とする請求項１４〜１７のいずれか１項記載の反応または検査ユニット。
【請求項１９】
それぞれの複数の試薬の配給を行なうための複数の試薬貯蔵チャンバを有し、該試薬貯蔵チャンバは、反応または検査チャンバの回りに対称的に配置され、かつ反応または検査チャンバの周囲の概ね上方に配置されていることを特徴とする請求項１４〜１８のいずれか１項記載の反応または検査ユニット。
【請求項２０】
前記検査チャンバおよび／または貯蔵チャンバ（単一または複数）は、加熱手段を更に有することを特徴とする請求項６〜１３のいずれか１項記載の反応または検査ユニット。
【請求項２１】
前記加熱手段は導電性ポリマーからなることを特徴とする請求項２０記載の反応または検査ユニット。
【請求項２２】
前記導電性ポリマーは検査チャンバおよび／または貯蔵チャンバ（単一または複数）に密着していることを特徴とする請求項２１記載の反応または検査ユニット。
【請求項２３】
前記導電性ポリマーは検査チャンバおよび／または貯蔵チャンバと一体であることを特徴とする請求項２１記載の反応または検査ユニット。
【請求項２４】
前記導電性ポリマーは検査チャンバおよび／または貯蔵チャンバの一部にオーバーモールディングされていることを特徴とする請求項２３記載の反応または検査ユニット。
【請求項２５】
１以上の液体試薬を、検査または検定装置の反応または検査チャンバ内に選択的に配給することにより化学反応を発生させる方法において、
反応または検査チャンバの概ね上方に配置された、１以上の貯蔵チャンバ内に１以上の液体試薬をそれぞれ用意する段階を有し、該１以上の貯蔵チャンバは、閉じた底と、開けることができ、または開いた口を備えており、
選択された貯蔵チャンバの口内にプランジャ要素を挿入して、貯蔵チャンバの口からの重力による液体の溢流により、貯蔵チャンバ内の選択された試薬を、該貯蔵チャンバから、全体として貯蔵チャンバの下にある反応または検査チャンバ内に押出す段階とを有することを特徴とする方法。
【請求項２６】
反応、検査または検定装置にプランジャを使用する方法において、プランジャを、使い捨てユニットの、液体試薬を収容する貯蔵チャンバ内に挿入し、試薬を押出して該試薬を貯蔵チャンバの口から溢流させ、かつ重力の作用により、貯蔵チャンバの概ね下に配置された装置の反応または検査チャンバ内に流入させ、該貯蔵チャンバは、閉じた底と、開けることができ、または開いた口を備えていることを特徴とする方法。
【請求項２７】
いずれかの添付図面を参照して本願明細書および特許請求の範囲の記載で説明したものと実質的に同じであることを特徴とする配給装置、または反応、検査または検定装置、または反応または検査ユニット、または配給方法または使用方法。